(57)【特許請求の範囲】
【請求項１】
エンジンの燃焼室への吸気により生じる吸気脈動に共鳴することで、前記燃焼室への吸気を促進するトルクアップレゾネータにおいて、
インテークマニホールドのサージタンクに突出して、吸気と遮断されたレゾナンスチャンバーを形成するチャンバー壁を備え、
このチャンバー壁は、
薄膜状に設けられて吸気脈動に共鳴する共鳴部を有し、
前記インテークマニホールドの本体壁とは別体に一体成形されて、前記サージタンクに突出するように配され、
１つの前記チャンバー壁は、吸気脈動の異なる周波数に共鳴する複数の前記共鳴部を有することを特徴とするトルクアップレゾネータ。
【請求項２】
請求項１に記載のトルクアップレゾネータにおいて、
前記チャンバー壁は、全ての外側面が平面状に設けられていることを特徴とするトルクアップレゾネータ。
【発明の詳細な説明】
【技術分野】
【０００１】
本発明は、エンジンの吸気系に配されるトルクアップレゾネータに関する。
【背景技術】
【０００２】
従来から、エンジンの燃焼室への吸気により生じる吸気脈動に共鳴することで、燃焼室への吸気を促進してエンジン出力を向上させるトルクアップレゾネータ（以下、レゾネータと呼ぶ）が公知である。
【０００３】
従来のレゾネータ１００は、図４に示すように、インテークマニホールド１０１のサージタンク１０２の外部に付設されるレゾナンスチャンバー１０３、サージタンク１０２とレゾナンスチャンバー１０３とを連通する連通路１０４を備え、吸気脈動との共鳴により連通路１０４で発生する共鳴波を利用して、燃焼室（図示せず）への吸気を促進する（例えば、特許文献１参照）。
【０００４】
しかし、このレゾネータ１００は、インテークマニホールド１０１とは別に配置スペースを必要とするため、限られたエンジンルームにおいて機器の搭載領域が大きくなってしまう。このため、レゾネータ１００は、近年のエンジンルームにおける機器の搭載領域低減要請に反するものとなっている。
【特許文献１】特開平２−１９９２６５号公報
【発明の開示】
【発明が解決しようとする課題】
【０００５】
本発明は、上記の問題点を解決するためになされたものであり、その目的は、エンジンルームにおいて、機器の搭載領域を低減することができるレゾネータを提供することにある。
【課題を解決するための手段】
【０００６】
〔請求項１の手段〕
請求項１に記載のレゾネータは、エンジンの燃焼室への吸気により生じる吸気脈動に共鳴することで、燃焼室への吸気を促進するものである。このレゾネータは、インテークマニホールドのサージタンクに突出して吸気と遮断されたレゾナンスチャンバーを形成するチャンバー壁を備える。そして、チャンバー壁は、薄膜状に設けられて吸気脈動に共鳴する共鳴部を有し、インテークマニホールドの本体壁とは別体に一体成形されて、サージタンクに突出するように配される。また、１つのチャンバー壁は、吸気脈動の異なる周波数に共鳴する複数の共鳴部を有する。
【０００７】
これにより、レゾネータは、インテークマニホールドの一部であるサージタンクの内部に配される。このため、エンジンルームにおける機器の搭載領域を、レゾネータの容積分だけ低減することができる。
また、チャンバー壁をインテークマニホールドの本体壁とは別体に一体成形することで、チャンバー壁は、接着、接合箇所のない１つの連続壁として設けられる。このため、高強度のチャンバー壁を得ることができる。
【０００８】
また、サージタンク内のチャンバー壁をインテークマニホールドの本体壁と別体に設けることで、レゾネータの形状や仕様に関する自由度を高めることができる。つまり、レゾネータがサージタンクに収まり、かつサージタンクの機能を阻害しない制限範囲で、レゾネータの形状や仕様を自在に設定することができる。
【０００９】
この結果、共鳴部の面積を制限範囲で最大限まで大きくすることで、吸気脈動の無駄な減衰を最小限に抑えるとともに吸気の促進を最大限まで高めることができる。また、共鳴部が薄膜状に設けられるので、共鳴部の面積を制限範囲で最大限まで大きくすることで、車両の軽量化にも貢献することができる。
【００１０】
また、１つのチャンバー壁が吸気脈動の異なる周波数に共鳴する複数の共鳴部を有することにより、吸気脈動が有する種々の周波数の内で、無駄に減衰する周波数を減らすことができるので、レゾネータによる吸気をさらに促進することができる。なお、異なる周波数に共鳴する複数の共鳴部は、厚さ、質量、面積、密度および素材等の仕様を共鳴部ごとに異ならせることで容易に設けることができる。
【００１１】
〔請求項２の手段〕
請求項２に記載のレゾネータによれば、チャンバー壁は、全ての外側面が平面状に設けられている。
これにより、チャンバー壁を、全面、共鳴部として利用できる。
【発明を実施するための最良の形態】
【００１２】
最良の形態のトルクアップレゾネータ（レゾネータ）は、エンジンの燃焼室への吸気により生じる吸気脈動に共鳴することで、燃焼室への吸気を促進するものである。
このレゾネータは、インテークマニホールドのサージタンクに突出して吸気と遮断されたレゾナンスチャンバーを形成するチャンバー壁を備える。そして、チャンバー壁は、薄膜状に設けられて吸気脈動に共鳴する共鳴部を有し、インテークマニホールドの本体壁とは別体に一体成形されて、サージタンクに突出するように配される。
また、チャンバー壁は、吸気脈動の異なる周波数に共鳴する複数の共鳴部を有し、全ての外側面が平面状に設けられている。
【実施例１】
【００１３】
〔実施例１の構成〕
実施例１のレゾネータ１の構成を、図１および図２を用いて説明する。
レゾネータ１は、エンジン（図示せず）の燃焼室（図示せず）への吸気により生じる吸気脈動に共鳴することで、燃焼室への吸気を促進するものであり、図１に示すように、インテークマニホールド２のサージタンク３に収容されるように組み込まれている。なお、インテークマニホールド２は、サージタンク３と燃焼室とを連通する吸気ポート４を有する。そして、スロットルバルブ５を介して導入された吸気は、サージタンク３および吸気ポート４を介して燃焼室に導入される。
【００１４】
レゾネータ１は、図２に示すように、６つの壁部８〜１３の外側面が全て平面状に設けられて６面体をなす。そして、レゾネータ１の壁部８〜１３の内、長手方向に平行な４つの壁部８〜１１は、壁部８と壁部１１とが互いに平行になるように設けられ、長手方向に垂直な断面が台形を呈する。
【００１５】
また、レゾネータ１は、例えば射出成形によりインテークマニホールド２の本体壁１６（図１参照）とは別体に一体成形されて、インテークマニホールド２に組み込まれる。そして、６つの壁部８〜１３の内、長手方向に平行な３つの壁部８〜１０、および長手方向両端の２つの壁部１２、１３は、レゾネータ１のインテークマニホールド２への組み込みにより、サージタンク３に突出して吸気と遮断されたレゾナンスチャンバー１７を形成するチャンバー壁をなす。
【００１６】
すなわち、壁部８〜１０、１２、１３は、全て薄膜状に設けられており、吸気脈動に共鳴する共鳴部として機能する。また、壁部８〜１０、１２、１３は、全て互いに異なる仕様となるように設けられている。ここで、壁部８〜１０、１２、１３の仕様とは、例えば、厚さ、質量、面積、密度および素材等であり、これらの仕様に応じて壁部８〜１０、１２、１３の各々の固有周波数、すなわち、吸気脈動が有する種々の周波数の内で壁部８〜１０、１２、１３の各々が共鳴する周波数が定まる。
なお、壁部１１は、外側の平面が外気に曝されるので外気に対する剛性を必要とする。このため、壁部８〜１０、１２、１３よりも肉厚に設けられている。
【００１７】
〔実施例１の効果〕
実施例１のレゾネータ１は、インテークマニホールド２の本体壁１６とは別体に一体成形され、薄膜状に設けられた壁部８〜１０、１２、１３は、サージタンク３に突出してレゾナンスチャンバー１７を形成するチャンバー壁をなし、さらに、吸気脈動に共鳴する共鳴部として機能する。
【００１８】
これにより、レゾネータ１は、インテークマニホールド２の一部であるサージタンク３の内部に配される。このため、エンジンルーム（図示せず）における機器の搭載領域を、レゾネータ１の容積分だけ低減することができる。
また、チャンバー壁をなす壁部８〜１０、１２、１３を含むレゾネータ１をインテークマニホールド２の本体壁１６とは別体に一体成形することで、チャンバー壁としての壁部８〜１０、１２、１３は、接着、接合箇所のない１つの連続壁として設けられる。このため、高強度のチャンバー壁を得ることができる。
【００１９】
また、レゾネータ１を本体壁１６と別体に設けることで、レゾネータ１の形状や仕様に関する自由度を高めることができる。つまり、レゾネータ１がサージタンク３に収まり、かつサージタンク３の機能を阻害しない制限範囲で、レゾネータ１の形状や仕様を自在に設定することができる。
【００２０】
この結果、共鳴部としての壁部８〜１０、１２、１３の面積を制限範囲で最大限まで大きくすることで、吸気脈動の無駄な減衰を最小限に抑えるとともに吸気の促進を最大限まで高めることができる。また、壁部８〜１０、１２、１３を、全面、薄膜状に設けて共鳴部とすることで、車両の軽量化にも貢献することができる。
【００２１】
また、チャンバー壁をなす壁部８〜１０、１２、１３は、全て互いに異なる仕様となるように設けられている。
これにより、壁部８〜１０、１２、１３は、各々、吸気脈動の異なる周波数に共鳴する。このため、吸気脈動の種々の周波数の内、無駄に減衰する周波数を減らしてレゾネータ１による吸気を効率よく促進することができる。
【００２２】
〔変形例〕
実施例１のレゾネータ１は、壁部８〜１１の長手方向に垂直な断面が台形を呈するように設けられていたが、例えば、正方形を呈するように設けてもよく（図３（ａ）参照）、さらに、長手方向に平行な壁数を増減させて三角形（図３（ｂ）参照）や、六角形（図３（ｃ）参照）を呈するように設けてもよい。
【００２３】
また、実施例１のレゾネータ１によれば、チャンバー壁としての壁部８〜１０、１２、１３は、全面、薄膜状に設けられて共鳴部として機能するものであったが、例えば、壁部８の一部および壁部９の一部のみを薄膜状に設けて共鳴部として機能させてもよく、例えば、壁部８の複数部分を異なる仕様の薄膜状に設けて、１つの壁部８に複数の共鳴部の機能を具備させてもよい。
【００２４】
また、実施例１のレゾネータ１は全体として一体成形されていたが、チャンバー壁をなす壁部８〜１０、１２、１３のみを一体として設け（つまり、チャンバー壁の部分のみを一体成形し）、チャンバー壁をなさない壁部１１を別体で設けて、壁部８〜１０、１２、１３の一体成形物に接着または接合してレゾネータ１を設けてもよい。
【図面の簡単な説明】
【００２５】
【図１】レゾネータを含むインテークマニホールドの説明図である（実施例１）。
【図２】（ａ）はレゾネータの正面図であり、（ｂ）は（ａ）のＡ−Ａ断面図であり、（ｃ）はレゾネータの側面図であり、（ｄ）は（ｃ）のＢ−Ｂ断面図である（実施例１）。
【図３】レゾネータの斜視図である（変形例）。
【図４】レゾネータを含むインテークマニホールドの説明図である（従来例）。
【符号の説明】
【００２６】
１  レゾネータ（トルクアップレゾネータ）
２  インテークマニホールド
３  サージタンク
８  壁部（チャンバー壁、共鳴部）
９  壁部（チャンバー壁、共鳴部）
１０  壁部（チャンバー壁、共鳴部）
１２  壁部（チャンバー壁、共鳴部）
１３  壁部（チャンバー壁、共鳴部）
１６  本体壁
１７  レゾナンスチャンバー
【図１】
0004337916.tif 000002
【図２】
0004337916.tif 000003
【図３】
0004337916.tif 000004
【図４】
0004337916.tif 000005